(57)【要約】      （修正有）【課題】あらゆる音楽ジャンル又はスタイル、特にフラメンコ音楽、アフロ・ペルービアン音楽、カリビアン音楽及びあらゆる民族音楽に適した、カホンとして一般に知られている打楽器に適用することができる締結機構を提供する。【解決手段】カホンは箱形状に作られ、層状の側面からなり、少なくとも一面が楽器の内部空間と外部空間を連通させる開口部と、楽器の本体１に演奏面２を締結するためのフレームワークを有する。フレームワークは、それぞれがカホンの内側面縁部に設置される四つの支持体１０を備え、各支持体１０は単一の固定式ブロックからなり、各ブロックには、楽器の本体１に演奏面２を締結するための通過ボルト７を設置させることができるとともに、各々のねじ要素１１が交換可能でもある、着脱可能な金属製ねじ要素１１（コンパス）が取り付けられる。【選択図】図１
0003191697.tif 000002
【実用新案登録請求の範囲】
【請求項１】
箱形状で製作されると共に前記箱の内部空間と外部とを連通するための少なくとも１つの穴６を備えた複数の積層側板からなる音楽打楽器１の打面２を取り替えるための、音楽打楽器１用の締結機構であって、前記締結機構が、前記楽器１の各内側側板に配置された４つの支持体１０から構成され、前記支持体が互いに傾きかつ対向すると共に単一のブロックから形成され、前記ブロックが固定されていると共に着脱可能な金属製ねじ要素１１を備えた通過孔９を含み、前記金属部品が雌ねじを備えかつ各通過孔９の一端に取り付けられ、通過ボルト７の挿入によって、打面２が楽器１の本体に固定可能となることを特徴とする、締結機構。
【請求項２】
前記各支持体１１には、前記通過孔９内部に収容されると共に前記着脱可能な金属製ねじ要素１１と前記前板２との間に圧縮されたばね１２が設けられ、前記各ばね１２は、前記通過ボルト７とは反対方向に張力をもたらすため、前記通過ボルト７に環装されており、前記楽器１を演奏しかつある場所から別の場所への運搬によって前記楽器１が受ける振動により生ずる前記ボルト７の偶発的外れを防止することを特徴とする、請求項１に記載の締結機構。
【請求項３】
前記支持体１０の１つである上部内側支持体にはカウンターナットが内部に設けられており、前記カウンターナットは、前記着脱可能な金属製ねじ要素１１のねじ山とは反対方向に該着脱可能な金属製ねじ要素１１から突出する前記通過ボルト７の部分に取り付けられ、これが各ボルト７を所望の位置に固定して、前記楽器１の前記本体からの前記打面２の距離を段階的に変化可能であり、分離位置であっても固定可能とすることを特徴とする、請求項１に記載の締結機構。
【請求項４】
各支持体１０は、ボルトを固定するための通過孔９を備えた固定ブロック１０と、着脱可能な金属製ねじ要素１１を備えた可動ブロック１５との２つのブロックから形成されており、着脱可能な金属製ねじ要素１１は前記ボルト７を収容するのに有用であり、よって前記打面２を前記楽器１の前記本体に固定可能とする、請求項１に記載の締結機構。
【請求項５】
前記支持体１０は木製であることを特徴とする、請求項１に記載の締結機構。
【請求項６】
前記支持体１０は合板製であることを特徴とする、請求項１に記載の締結機構。
【請求項７】
前記支持体１０は金属製であることを特徴とする、請求項１に記載の締結機構。
【請求項８】
前記支持体１０はプラスチック材料製であることを特徴とする、請求項１に記載の締結機構。
【請求項９】
音色を豊かにすることを意図した内部または外部響線装置を取り付けるための別の機構をさらに備えた箱形打楽器の内部に取り付け可能であることを特徴とする、請求項１に記載の締結機構。
【考案の詳細な説明】
【技術分野】
【０００１】
本考案は、あらゆる音楽スタイル及びジャンル、特にフラメンコ音楽、アフロ・ペルービアン音楽、カリビアン音楽及び民族音楽に適した、一般にカホンとして知られている打楽器の機構に関する。
【背景技術】
【０００２】
南アフリカ及びアフリカの伝統楽器の多くは、音楽の本流において益々その人気が高まっている。
【０００３】
その中の一つである、カホン（原文：Ｃａｊｏｎ）（「カホン」と発音）は、箱形に作られた楽器であり、その側面は木製の板からなり、また、最適な音響を作り出すため、一般的に演奏する面の反対側に通常丸型の開口部を備えることを特徴とする。  
【０００４】
カホンは、主にそれの上に座りながら演奏され、また、カホンの大きさ、木製の板の幅及びその他の類似した要素といった各々の楽器の規格により、その音色は大きく変化する。
【０００５】
カリビアン音楽やアフロ・ペルービアン音楽を演奏するためのカホンは、通常木製の箱のみから作られ、その音色は、楽器の大きさと、楽器を構成する部品の比率によってのみ特定できる。
【０００６】
一方、フラメンコカホンは、ギター用の弦やスネアドラムで用いられる螺旋状に編まれたスプリングのように、楽器の内側において共鳴板（原文：ｓｏｕｎｄ  ｂｏａｒｄ）に接するように設置される一組の弦に、支持及び張力を与える機構を通常特徴とする。
【０００７】
これらの場合、木の音色は前記機構による金属音によって、より豊かになる。
【０００８】
従来の技術において、カホンの演奏面は楽器の本体に通常直接接着又はねじ止めされているため、演奏面を無制限の回数取り替えることが可能であるカホンはこれまでに存在しない。
【０００９】
ねじ止めされるねじは、木製の板に直接取り付けられているため、演奏面の繰り返しの取り外しや取り付けによりねじが取り付けられる木製部位の摩耗を生じ、精密な保守が不可能となる。
【００１０】
演奏面を交換する理由は様々あり、最も一般的な理由は長期に渡る手による打撃動作（原文：ｐｅｒｃｕｓｓｉｖｅ  ｈａｎｄ  ａｃｔｉｏｎ）による演奏面の劣化であるが、楽器から別の音色を得る必要性も、交換前のものと異なる厚み又は素材の共鳴板に交換する理由となりうるし、舞台での見栄えがよい色づけされた演奏面への交換といった、単に美的感覚に基づく動機によるものでさえ、理由となりうる。
【００１１】
また、スネア又は楽器内部の損傷した部品の交換等といった保守が、演奏面の取外しの目的につながることもあろう。
【考案の概要】
【考案が解決しようとする課題】
【００１２】
本機構は、あらゆる音楽ジャンル又はスタイル、特にフラメンコ音楽、アフロ・ペルービアン音楽、カリビアン音楽及びあらゆる民族音楽に適し、箱形状で、層状の側面からなり、少なくとも一面が楽器の内部空間と外部空間を連通させる開口部と、楽器の本体に演奏面を取り付けるための締結機構を有することを特徴とする、カホンとして一般に知られている打楽器に適用するために考案されたものである。
前記構造は、少なくとも一つあり、それぞれが内側面とその相対する縁部に設置される四つの支持体から構成され、各支持体は楽器の本体に取り付けられる単一の固定式ブロックからなり、各ブロックには、楽器の本体に演奏用共鳴板（原文：ｐｌａｙｉｎｇ  ｓｏｕｎｄｂｏａｒｄ）を締結するための通過ボルトを設置可能にし、ねじ要素が劣化した場合に備え、各ねじ要素が交換可能でもある、埋設された金属製ねじ要素（コンパスとしても知られている）が取り付けられる。
【００１３】
各支持体には、ねじを締める方向と逆方向に圧力を加え、ボルトに安定性を与えることにより、ハンドパーカッション又は他の場所への輸送を原因として楽器に与えられる振動によってボルトが緩むことを防ぐため、金属製挿入体と前板との間にばねも設置される。
【００１４】
内面上側のブロックにおいて、打楽器奏者が通例として打面（原文：ｂｅａｔｉｎｇ  ｓｕｒｆａｃｅ）を調節及び固定した状態で開放したい場合、ボルトを必要な位置に固定することを目的として、一連のカウンターナットがコンパスから突出するボルトの一部に且つコンパスのねじの方向とは逆向きに、ねじ止めされる。
【００１５】
これにより、打面の楽器本体からの距離を非接触位置においても段階的に固定（原文：ｇｒａｄｕａｔｅ  ａｎｄ  ｌｏｃｋ）することが可能となる。
【００１６】
従来の技術において、演奏面の取り付け方法は、のり、木製のねじ又はその両方からなるため、演奏面を無制限の回数取り外し及び交換が可能であるカホンはこれまでに存在しない。
【００１７】
前記ねじは慣例的に木製の板に直接取り付けられているため、着脱及び連続的な再配置を行うと、木製のねじ山の劣化が避けられず、結果としてねじの固定が不完全となる。
【００１８】
本考案の技術的目的は、各ねじ要素が一般的な金属と交換可能である、単純な機構を伴う上述した機能性を提供することであり、また、本考案に係る機構は、可動式かつ着脱可能な四つの追加されたブロックから構成され、前記ブロックには、楽器本体に演奏面を締結することを目的に含む着脱可能な金属製ねじ挿入体が取り付けられているため、信頼性の高い運用及び効率的な機能並びにコストの抑制を伴った、従来よりも平易な実際の運用となる。
【００１９】
本考案の技術的目的は、共鳴板（原文：ｓｏｕｎｄ  ｂｏａｒｄ）を無制限の回数交換を可能にし、且つ各ねじ要素を一般的な金属と交換可能にすることで機能性を維持する、楽器の本体に演奏面を締結するための機構を提供することで、前記問題を対処し且つ上記要望に応えることにある。
【００２０】
前記構造は、少なくとも一つあり、カホンの内側面縁部にそれぞれ相対するように設置される四つの支持体で構成され、各支持体は、楽器の本体に取り付けられる単一の固定式ブロックからなり、各ブロックには、楽器の本体に演奏用共鳴板を締結するための通過ボルトを設置可能にする、埋設された金属製ねじ要素（コンパスとしても知られている）が取り付けられる。
【００２１】
更なる詳細は、ここに含まれる図面で示すが、限定的な目的として描かれていない、あらゆる音楽ジャンル又はスタイル、特にフラメンコ音楽、アフロ・ペルービアン音楽、カリビアン音楽及びあらゆる民族音楽に適した、カホンとして一般に知られている打楽器の、好ましいが排他的なモデルではない詳細な説明にて明示される。
【図面の簡単な説明】
【００２２】
完全な説明及び本考案のさらなる理解を提供するため、一連の図面が提供されている。前記図面は、説明の必須部分を構成し且つ本考案の好ましい実施形態を示す。図面は以下の図からなる。
【図１】図１は、本考案に係る打楽器の斜視図及び分解組立図を示す。
【図２】図２は、本考案に係る打楽器の斜視背面図を示す。
【図３】図３は、本考案に係る打楽器の前板を除いた部分正面図を示す。
【図４】図４は、本考案に係る打楽器の第二実施形態の斜視図及び分解組立図を示す。
【図５】図５は、本考案に係る打楽器の第二実施形態の斜視背面図を示す。
【考案を実施するための形態】
【００２３】
（本考案の好ましい実施形態の説明）
特に図１から図３を参照し、あらゆる音楽ジャンル又はスタイル、特にフラメンコ音楽、アフロ・ペルービアン音楽、カリビアン音楽及びあらゆる民族音楽に適した、カホンとして一般に知られている打楽器１を明示する。
【００２４】
本楽器１は、箱形状の本体からなり、おおむね平行六面体であり、板（前板２、側板３、天板４、底板４ａ及び後板５）から構成される。後板５は、楽器１の音響の改善を目的とした開口部６を有することを特徴とする。
【００２５】
特設された孔８を貫通し、異なる孔９の内部にそれぞれ留まる多数のボルト７によって、前板２は楽器の本体１に締結される。
【００２６】
支持体１０の孔内部には、雌ねじを備えた着脱可能な金属製要素１１があり、コンパスと呼ばれる前記要素は、ボルト７がアクセスする側とは反対側に設置される。
【００２７】
ねじ山が摩耗した場合に備え、コンパスは一般的な六角棒スパナ１３を用いて各々交換が可能であることが重要である。
【００２８】
通過孔９の内部において、内部のコンパスに圧力をかけ、巻き付けボルト７が圧力及び負荷をかける要素として機能するように圧縮ばね１２が配置されることにより、ハンドパーカッション又は他の場所への輸送を原因とする弛緩動作（原文：ｌｏｏｓｅｎｉｎｇ  ａｃｔｉｏｎ）を防いでいる。
【００２９】
ボルト７が前記要素１１の内部に取り付けられると、前板２は本体１へ完全に接着される。
【００３０】
演者の演奏領域近傍に設置される上部支持体１０には、一般的に多くの打楽器演者が求めるように、打撃時に特定の音色を奏でるため、前板２の本体１への不完全な接着が必要とされ、わずかな間隙を残すことがある。
【００３１】
この目的をかなえるため、図３は金属製要素１１から突出するボルト７の一部の内部に配置されるべき一連のカウンターナット１４を示している。
【００３２】
金属製要素１１を貫通するボルト７に対するカウンターナット１４の機械的作用は、仮にボルト７が部分的に締められた位置であっても、調整及び固定を可能にすることで、前板２と楽器１の間に間隙を残すことにある。
【００３３】
可動式ブロック１５を備える第二の実施形態は、通過孔及び着脱可能なねじ要素１１を有する角胴型の可動式ブロック１５からなり、より速く且つ実用的に挿入体の交換を可能にする、四つの追加された可動式部品を特徴とする。
【００３４】
特に図４から５を参照し、あらゆる音楽ジャンル、特にフラメンコ音楽、カリビアン音楽及び民族音楽に適した、一般的にカホンとして知られている打楽器１が定義されている。
【００３５】
楽器１は箱形状であり、おおむね平行六面体であり、板（前板２、側板３、天板４、底板４ａ及び後板５）から構成される。後板５は、楽器１の音響の改善を目的とした開口部６を有することを特徴とする。
【００３６】
前板２は、特設された孔８を貫通し、特に支持体１０に沿って配置された異なる孔９にそれぞれ留まる多数のボルト７によって、楽器１及び可動式カウンターブロック１５に締結される。
【００３７】
可動式ブロック１５の内部には、雌ねじを備えた着脱可能なねじ金属要素１１があり、コンパスと呼ばれるこれらの要素は、ボルト７のアクセス側と反対側に配置される。
【００３８】
固定された支持体１０と可動式ブロック１５との間には、巻き付けボルト７が支持体１０と可動式ブロック１５との間で圧力及び負荷をかける要素として機能するよう圧縮されたばね１２が配置されることにより、演者によるハンドパーカッション又は他の場所への輸送を原因としたボルト７の緩みを防いでいる。
【００３９】
ボルト７が受け入れ側のねじ要素１１に取り付けられると、演奏用共鳴板２は本体１へ完全かつ安定して締結される。
【００４０】
前板２を楽器１に締結する本機構は、スネア機構を有さないカリビアン音楽式カホン及びアフロ・ペルービアン音楽式カホン並びにスネア機構を有するフラメンコ音楽式カホンとの間の楽器１の分化について前述したように、内部のスネア機構の有無に関わらず適合することは注目に値する。
【００４１】
固定された支持体１０及び可動式ブロック１５は、箱形状の本体１と前板２と同様に、木製であることが好ましいが、絶対にその必要があるわけではない。
【００４２】
音孔（原文：ｓｏｕｎｄ  ｈｏｌｅ）６は、楽器１のいずれの側に配置されてもよく、それぞれの側又は異なる側に複数の音孔を有してもよい。
【００４３】
全ての詳細は、技術的同等である他のものに置き換えることができる。
【図１】
0003191697.tif 000003
【図２】
0003191697.tif 000004
【図３】
0003191697.tif 000005
【図４】
0003191697.tif 000006
【図５】
0003191697.tif 000007
【手続補正書】
【提出日】平成26年2月20日(2014.2.20)
【手続補正１】
【補正対象書類名】実用新案登録請求の範囲
【補正対象項目名】全文
【補正方法】変更
【補正の内容】
【実用新案登録請求の範囲】
【請求項１】
箱形状で製作されると共に前記箱の内部空間と外部とを連通するための少なくとも１つの穴６を備えた複数の積層側板からなる音楽打楽器１の打面２を取り替えるための、音楽打楽器１用の締結機構であって、前記締結機構が、前記楽器１の各内側側板に配置された４つの支持体１０から構成され、前記支持体が互いに傾きかつ対向すると共に単一のブロックから形成され、前記ブロックが固定されていると共に着脱可能な金属製ねじ要素１１を備えた通過孔９を含み、前記金属製ねじ要素が雌ねじを備えかつ各通過孔９の一端に取り付けられ、通過ボルト７の挿入によって、打面２が楽器１の本体に固定可能となることを特徴とする、締結機構。
【請求項２】
前記各支持体１０には、前記通過孔９内部に収容されると共に前記着脱可能な金属製ねじ要素１１と前記打面２との間に圧縮されたばね１２が設けられ、前記各ばね１２は、前記通過ボルト７とは反対方向に張力をもたらすため、前記通過ボルト７に環装されており、前記楽器１を演奏しかつある場所から別の場所への運搬によって前記楽器１が受ける振動により生ずる前記ボルト７の偶発的外れを防止することを特徴とする、請求項１に記載の締結機構。
【請求項３】
前記支持体１０の１つである上部内側支持体にはカウンターナットが内部に設けられており、前記カウンターナットは、前記着脱可能な金属製ねじ要素１１のねじ山とは反対方向に該着脱可能な金属製ねじ要素１１から突出する前記通過ボルト７の部分に取り付けられ、これが各ボルト７を所望の位置に固定して、前記楽器１の前記本体からの前記打面２の距離を段階的に変化可能であり、分離位置であっても固定可能とすることを特徴とする、請求項１に記載の締結機構。
【請求項４】
各支持体１０は、ボルトを固定するための通過孔９を備えた固定ブロックと、着脱可能な金属製ねじ要素１１を備えた可動ブロック１５との２つのブロックから形成されており、着脱可能な金属製ねじ要素１１は前記ボルト７を収容するのに有用であり、よって前記打面２を前記楽器１の前記本体に固定可能とする、請求項１に記載の締結機構。
【請求項５】
前記支持体１０は木製であることを特徴とする、請求項１に記載の締結機構。
【請求項６】
前記支持体１０は合板製であることを特徴とする、請求項１に記載の締結機構。
【請求項７】
前記支持体１０は金属製であることを特徴とする、請求項１に記載の締結機構。
【請求項８】
前記支持体１０はプラスチック材料製であることを特徴とする、請求項１に記載の締結機構。
【請求項９】
音色を豊かにすることを意図した内部または外部響線装置を取り付けるための別の機構をさらに備えた箱形打楽器の内部に取り付け可能であることを特徴とする、請求項１に記載の締結機構。